(57)【要約】      （修正有）【課題】装置本体内で発生する塵埃を外部に良好に排出できるようにした実装装置を提供する。【解決手段】装置本体１の一端部に設けられキヤリアテープ３からＴＣＰ４を打ち抜く打ち抜き装置５Ａ，５Ｂと、打ち抜かれたＴＣＰ４を受けて所定の位置まで搬送する第１の受け渡し手段６Ａ，６Ｂと、搬送されたＴＣＰ４を受けて保持する複数の保持ヘッド１９を有するインデックス手段１８Ａ，１８Ｂと、保持ヘッド１９に受け渡されたＴＣＰ４に粘着テープ３２を貼着する貼着装置３１Ａ、３１Ｂと、基板を受けて位置決めするテーブル装置６１と、テーブル装置６１によって位置決めされた基板に粘着テープ３２が貼着されたＴＣＰ４を実装する実装ヘッド５３と、装置本体１の上部から外部の気体を内部に導入し打ち抜き装置５Ａ，５Ｂに沿って下方に流す送気ユニット７２、及びその流れによって装置本体１内に生じた塵埃を底部から排出する排気ユニット７７を具備する。【選択図】図２
2010080874.tif 000002
【特許請求の範囲】
【請求項１】
基板の側辺部に電子部品を実装する実装装置であって、
装置本体と、
この装置本体の前後方向の一端部に設けられテープ状部材から上記電子部品を打ち抜く打ち抜き装置と、
この打ち抜き装置によって打ち抜かれた上記電子部品を受けて所定の位置まで搬送する受け渡し手段と、
この受け渡し手段によって搬送された電子部品を受けて保持する複数の保持ヘッドを有するインデックス手段と、
このインデックス手段の保持ヘッドに受け渡された上記電子部品に粘着テープを貼着する貼着装置と、
上記装置本体の前後方向の他端部に設けられ上記基板を受けて位置決めするテーブル装置と、
このテーブル装置によって位置決めされた上記基板に上記貼着装置で粘着テープが貼着された上記電子部品を実装する実装手段と、
上記装置本体の上部から外部の気体を内部に導入し上記打ち抜き装置に沿って下方に流しその流れによって上記装置本体内に生じた塵埃を底部から排出する塵埃除去手段と
を具備したことを特徴とする電子部品の実装装置。
【請求項２】
上記塵埃除去手段は、上記装置本体の上部に設けられ外部の気体を装置本体内へ導入する送気ユニットと、この送気ユニットによって装置本体の内部に導入された気体を底部から外部に排出する排気ユニットによって構成されていることを特徴とする請求項１記載の電子部品の実装装置。
【請求項３】
上記塵埃除去手段は、上記送気ユニットから吐出された気体を上記排気ユニットによって排出することで上記装置本体内に上部から下部に向かう主流を発生させ、この主流によって生じる吸引力で上記装置本体内に上記主流に向かう誘引流を発生させることを特徴とする請求項２記載の電子部品の実装装置。
【請求項４】
上記装置本体内には、前後方向の一端部に一対の打ち抜き装置が左右対称に配置され、装置本体の前後方向の中途部には一対のインデックス手段と貼着装置が幅方向の両端部に上記一対の打ち抜き装置よりも大きな間隔で左右対称に配置され、上記装置本体の他端部には上記テーブル装置が幅方向に沿って配置されることで、上記装置本体の中心部には上下方向の全長にわたる空間部が形成されていて、
上記塵埃除去手段は上記装置本体の外部の気体を上記空間部の上部から下部に向かって流すことを特徴とする請求項１記載の電子部品の実装装置。
【請求項５】
上記塵埃除去手段から装置本体の内部に導入される気体の一部を分岐して上記貼着装置に沿って流す分岐手段が設けられていることを特徴とする請求項１記載の電子部品の実装装置。
【請求項６】
上記装置本体の前後方向の他端部の幅方向一端には上記テーブル装置に基板を受け渡すための供給口が開口形成され、他端には電子部品が実装された基板を上記テーブル装置から搬出する搬出口が開口形成されていて、
上記供給口と搬出口には外部の塵埃が上記装置本体内に流入するのを阻止するためのエアカーテンを形成する気体噴射手段が設けられていることを特徴とする請求項１記載の電子部品の実装装置。
【請求項７】
上記装置本体の側壁部には、上記塵埃除去手段が外部の気体を装置本体の上部から下部に向かって流すことで発生する吸引力によって外部の気体を内部に導入するフィルタが設けられていることを特徴とする請求項１記載の電子部品の実装装置。
【請求項８】
上記インデックス手段の第１の保持ヘッドに保持された電子部品をクリーニングする回転ブラシを有し、この回転ブラシはカバーによって覆われていて、このカバーには上記回転ブラシから上記カバー内に飛散した塵埃を吸引除去する吸引手段が設けられていることを特徴とする請求項１記載の電子部品の実装装置。
【請求項９】
上記回転ブラシの一部が浸漬し上記電子部品から除去されて上記回転ブラシに付着した塵埃を洗い流す液体が収容された洗浄容器が設けられていることを特徴とする請求項７記載の電子部品の実装装置。
【請求項１０】
基板の側辺部に電子部品を実装する実装方法であって、
装置本体の前後方向の一端部に設けられテープ状部材から上記電子部品を打ち抜く工程と、
上記テープ状部材から打ち抜かれた上記電子部品を受けて所定の位置まで搬送する工程と、
所定の位置まで搬送された電子部品を受けてインデックス手段の保持ヘッドに受け渡す工程と、
上記インデックス手段の保持ヘッドに受け渡された上記電子部品に粘着テープを貼着する工程と、
上記装置本体の前後方向の他端部に設けられたテーブル装置に保持された上記基板に粘着テープが貼着された上記電子部品を実装する工程と、
上記装置本体の外部の気体を装置本体の上部から内部に導入して下方に流しその流れによって上記装置本体内に生じた塵埃を上記装置本体の底部から排出する工程と
を具備したことを特徴とする電子部品の実装方法。
【発明の詳細な説明】
【技術分野】
【０００１】
この発明はたとえば基板としての液晶表示パネルに電子部品としてのＴＣＰ（Tape Carrier Package）を実装する電子部品の実装装置及び実装方法に関する。
【背景技術】
【０００２】
基板としての液晶表示パネルを製造する場合、その液晶表示パネルに電子部品としてのＴＣＰを実装装置によって実装するということが行われる。上記実装装置は箱型状の装置本体を有する。この装置本体内にはキヤリアテープから上記ＴＣＰを打ち抜く打ち抜き装置が設けられている。打ち抜き装置によって打ち抜かれたＴＣＰは受け渡し手段を構成する受け体によって受け取られる。
【０００３】
上記受け体は打ち抜かれたＴＣＰを所定の位置まで搬送し、その位置で所定角度ずつ間欠的に回転駆動されるインデックステーブルに設けられた複数の保持ヘッドに受け渡す。保持ヘッドは上下方向に駆動可能に設けられている。
【０００４】
インデックステーブルの保持ヘッドに受け渡されたＴＣＰは、このインデックステーブルの間欠回転に応じて上記ＴＣＰの端子部を回転ブラシでクリーニングした後、実装位置に位置決めされる。その実装位置にはＴＣＰが実装される基板がテーブル装置によって位置決めされて待機している。
【０００５】
そして、インデックステーブルの間欠回転によってＴＣＰを保持した上記保持ヘッドが実装位置に位置決めされると、その保持ヘッドは下方向に駆動される。それによって、保持ヘッドに保持された上記ＴＣＰが基板の側辺部に実装されるようになっている。このような先行技術は特許文献１や特許文献２に開示されている。
【０００６】
従来は、基板の側辺部の全長にわたって異方性導電部材からなる粘着テープを貼着し、そこに上記ＴＣＰを所定間隔で実装するようにしていた。しかしながら、基板の側辺部の全長にわたって粘着テープを貼着したのでは、粘着テープのＴＣＰが実装されない部分が無駄となったり、ＴＣＰが実装されていない部分に塵埃が付着するので好ましくないなどのことがある。
【０００７】
そこで、最近ではインデックステーブルの保持ヘッドに保持されたＴＣＰの端子部を回転ブラシでクリーニングしたならば、その端子部に貼着装置によってＴＣＰの端子部とほぼ同じ長さに切断された粘着テープを貼着する。
【０００８】
そして、粘着テープが貼着されたＴＣＰを上記保持ヘッドから実装ヘッドに受け渡し、この実装ヘッドを基板の側辺部の上方に位置決めしてから下降させることで、実装ヘッドに保持された上記ＴＣＰを基板の側辺部に実装するということが行われている。
【特許文献１】特開２００２−３０５３９８号
【特許文献２】特開２００６−１２０９２９号
【発明の開示】
【発明が解決しようとする課題】
【０００９】
ところで、打ち抜き装置によってキヤリアテープからＴＣＰを打ち抜くと、その際に塵埃が発生することが避けられず、その塵埃が装置本体の内部に浮遊するということがある。さらに、インデックステーブルに受け渡されたＴＣＰの端子部を回転ブラシでクリーニングすると、端子部から除去された塵埃も装置本体内に浮遊するということがある。
【００１０】
塵埃が装置本体内を浮遊すると、その塵埃がＴＣＰに貼着される前の粘着テープやＴＣＰに貼着された粘着テープ、或いはＴＣＰが実装される基板の側辺部の上面に設けられた端子の部分に付着するということがある。粘着テープや基板の端子に塵埃が付着している状態で、上記端子に上記ＴＣＰを実装すると、塵埃がＴＣＰと基板の端子間に介在するから、ＴＣＰの実装不良を招くということがある。
【００１１】
この発明は、装置本体内で発生する塵埃を、その装置本体内から外部に確実に排出することができるようにした電子部品の実装装置及び実装方法を提供することにある。
【課題を解決するための手段】
【００１２】
この発明は、基板の側辺部に電子部品を実装する実装装置であって、
装置本体と、
この装置本体の前後方向の一端部に設けられテープ状部材から上記電子部品を打ち抜く打ち抜き装置と、
この打ち抜き装置によって打ち抜かれた上記電子部品を受けて所定の位置まで搬送する受け渡し手段と、
この受け渡し手段によって搬送された電子部品を受けて保持する複数の保持ヘッドを有するインデックス手段と、
このインデックス手段の保持ヘッドに受け渡された上記電子部品に粘着テープを貼着する貼着装置と、
上記装置本体の前後方向の他端部に設けられ上記基板を受けて位置決めするテーブル装置と、
このテーブル装置によって位置決めされた上記基板に上記貼着装置で粘着テープが貼着された上記電子部品を実装する実装手段と、
上記装置本体の上部から外部の気体を内部に導入し上記打ち抜き装置に沿って下方に流しその流れによって上記装置本体内に生じた塵埃を底部から排出する塵埃除去手段と
を具備したことを特徴とする電子部品の実装装置にある。
【００１３】
上記塵埃除去手段は、上記装置本体の上部に設けられ外部の気体を装置本体内へ導入する送気ユニットと、この送気ユニットによって装置本体の内部に導入された気体を底部から外部に排出する排気ユニットによって構成されていることが好ましい。
【００１４】
上記塵埃除去手段は、上記送気ユニットから吐出された気体を上記排気ユニットによって排出することで上記装置本体内に上部から下部に向かう主流を発生させ、この主流によって生じる吸引力で上記装置本体内に上記主流に向かう誘引流を発生させることが好ましい。
【００１５】
上記装置本体内には、前後方向の一端部に一対の打ち抜き装置が左右対称に配置され、装置本体の前後方向の中途部には一対のインデックス手段と貼着装置が幅方向の両端部に上記一対の打ち抜き装置よりも大きな間隔で左右対称に配置され、上記装置本体の他端部には上記テーブル装置が幅方向に沿って配置されることで、上記装置本体の中心部には上下方向の全長にわたる空間部が形成されていて、
上記塵埃除去手段は上記装置本体の外部の気体を上記空間部の上部から下部に向かって流すことが好ましい。
【００１６】
上記塵埃除去手段から装置本体の内部に導入される気体の一部を分岐して上記貼着装置に沿って流す分岐手段が設けられていることが好ましい。
【００１７】
上記装置本体の前後方向の他端部の幅方向一端には上記テーブル装置に基板を受け渡すための供給口が開口形成され、他端には電子部品が実装された基板を上記テーブル装置から搬出する搬出口が開口形成されていて、
上記供給口と搬出口には外部の塵埃が上記装置本体内に流入するのを阻止するためのエアカーテンを形成する気体噴射手段が設けられていることが好ましい。
【００１８】
上記装置本体の側壁部には、上記塵埃除去手段が外部の気体を装置本体の上部から下部に向かって流すことで発生する吸引力によって外部の気体を内部に導入するフィルタが設けられていることが好ましい。
【００１９】
上記インデックス手段の第１の保持ヘッドに保持された電子部品をクリーニングする回転ブラシを有し、この回転ブラシはカバーによって覆われていて、このカバーには上記回転ブラシから上記カバー内に飛散した塵埃を吸引除去する吸引手段が設けられていることが好ましい。
【００２０】
上記回転ブラシの一部が浸漬し上記電子部品から除去されて上記回転ブラシに付着した塵埃を洗い流す液体が収容された洗浄容器が設けられていることが好ましい。
【００２１】
この発明は、基板の側辺部に電子部品を実装する実装方法であって、
装置本体の前後方向の一端部に設けられテープ状部材から上記電子部品を打ち抜く工程と、
上記テープ状部材から打ち抜かれた上記電子部品を受けて所定の位置まで搬送する工程と、
所定の位置まで搬送された電子部品を受けてインデックス手段の保持ヘッドに受け渡す工程と、
上記インデックス手段の保持ヘッドに受け渡された上記電子部品に粘着テープを貼着する工程と、
上記装置本体の前後方向の他端部に設けられたテーブル装置に保持された上記基板に粘着テープが貼着された上記電子部品を実装する工程と、
上記装置本体の外部の気体を装置本体の上部から内部に導入して下方に流しその流れによって上記装置本体内に生じた塵埃を上記装置本体の底部から排出する工程と
を具備したことを特徴とする電子部品の実装方法にある。
【発明の効果】
【００２２】
この発明によれば、装置本体の上部から下方に向かって気体を流し、その気体の流れに向かって装置本体内の雰囲気を流れ込ませることで、装置本体内に生じた塵埃を装置本体の底部から排出させるようにした。
【００２３】
そのため、装置本体内の打ち抜き装置などから塵埃が発生しても、その塵埃が貼着装置の粘着テープ、電子部品に貼着された粘着テープ或いは電子部品が実装される基板などに付着して電子部品の実装不良を招くのを防止することができる。
【発明を実施するための最良の形態】
【００２４】
以下、この発明の実施の形態を図面を参照しながら説明する。  
図１乃至図７はこの発明の一実施の形態を示す。図１は実装装置の内部構造を示す平面図、図２は同じく側面図である。図１と図２に示すように、上記実装装置はクリーンルームに設置される箱型状の装置本体１を備えている。この装置本体１の前後方向後端側の幅方向中央部には後方へ突出した突出部２が形成されていて、この突出部２にはキヤリアテープ３から電子部品としてのＴＣＰ４を打ち抜くための第１の打ち抜き装置５Ａと第２の打ち抜き装置５Ｂが装置本体１の幅方向の中心線Ｏ（図１に示す）に対して左右に対称に配置されている。
【００２５】
上記第１の打ち抜き装置５Ａと第２の打ち抜き装置５Ｂは交互に稼動され、一方の打ち抜き装置５Ａ又は５Ｂによって打ち抜かれたＴＣＰ４は一対の第１の受け渡し手段６Ａ、６Ｂによって受け取られる。
【００２６】
すなわち、第１の打ち抜き装置５ＡによってＴＣＰ４を打ち抜いているときには第２の打ち抜き装置５Ｂが待機しており、第１の打ち抜き装置５Ａに供給されるからＴＣＰ４を打ち抜き終わったときに、第２の打ち抜き装置５Ｂが稼動されて第１の打ち抜き装置５Ａにキヤリアテープ３の新たな部分が供給される。それによって、キヤリアテープ３から打ち抜かれたＴＣＰ４は一対の第１の受け渡し手段６Ａ,６Ｂに交互に供給されるようになっている。
【００２７】
上記第１、第２の打抜き装置５Ａ，５Ｂは、図２に示すように下面にポンチ１１ａが設けられた上金型１１と、上記ポンチ１１ａが入り込む貫通孔１２ａが上下方向に形成された下金型１２を備えている。上記上金型１１は駆動源１３によって矢印で示す上下方向に駆動されるようになっている。
【００２８】
上記キヤリアテープ３は供給リール１４から繰り出され、複数のガイドローラ１５によって方向変換され、一部が上記下金型１２の上面に沿って平行に走行するようガイドされて巻き取りリール１６に巻き取られるようになっている。
【００２９】
なお、供給リール１４にはキヤリアテープ３を保護する保護テープ１７がキヤリアテープ３と重ねて巻装されている。上記供給リール１４からキヤリアテープ３とともに繰り出された保護テープ１７とキヤリアテープ３に分離され、上記打抜き装置５Ａ，５ＢによってＴＣＰ４が打抜かれたキヤリアテープ３と一緒に上記巻き取りリール１６に巻き取られるようになっている。
【００３０】
一方の上記第１の受け渡し手段６Ａが受けたＴＣＰ４は第１のインデックス手段１８Ａまで搬送され、この第１のインデックス手段１８Ａに設けられた保持ヘッド１９に受け取られる。
【００３１】
他方の第１の受け渡し手段６Ｂが受けたＴＣＰ４は第２のインデックス手段１８Ｂまで搬送され、この第２のインデックス手段１８Ｂに設けられた保持ヘッド１９に受け取られる。
【００３２】
上記第１、第２のインデックス手段１８Ａ，１８Ｂは、図２に示すように第１のθ駆動源２１によって周方向に９０度間隔で間欠的に回転駆動されるインデックステーブル２２を有する。各インデックステーブル２２の下面には周方向に９０度間隔で上記保持ヘッド１９が設けられている。
【００３３】
それによって、上記一対の第１の受け渡し手段６Ａ，６Ｂによって搬送されたＴＣＰ４は各インデックス手段１８Ａ，１８Ｂの保持ヘッド１９によって吸着保持される。つまり、ＴＣＰ４は第１の受け渡し手段６Ａ，６Ｂからインデックス手段１８Ａ，１８Ｂの保持ヘッド１９に受け渡される。インデックス手段１８Ａ，１８Ｂの保持ヘッド１９がＴＣＰ４を受け取る受け取り位置を図１にＡで示す。  
なお、各インデックステーブル２２の回転方向は図１に矢印で示すように逆方向となっている。
【００３４】
上記第１、第２の打ち抜き装置５Ａ，５Ｂによって打ち抜かれたＴＣＰ４は、各受け渡し手段６Ａ，６Ｂのそれぞれの受け具２４によって交互に受け取られる。この受け具２４は図２に矢印で示すＸ方向、つまり装置本体１の前後方向に沿って駆動されるＸテーブル２５にＺθ駆動源２３によって上下方向となるＺ方向及び回転方向となるθ方向に駆動可能に設けられている。上記Ｘテーブル２５は、Ｘ方向に沿って設けられたＸガイド体２６に移動可能に設けられ、図示しないリニアモータなどによって上記Ｘガイド体２６に沿って駆動可能となっている。
【００３５】
一方の第１の受け渡し手段６Ａの受け具２４は、第１の打ち抜き装置５ＡからＴＣＰ４を受けると、図１に矢印Ｘで示す装置本体１の前後方向及び矢印Ｙで示す幅方向に駆動され、上記受け具２４の上面に保持されたＴＣＰ４の一端部が第１のインデックス手段１８Ａのインデックステーブル２２の下面に周方向に９０度間隔で設けられた４つの保持ヘッド１９のうちの、上記受け取り位置Ａに位置決めされた保持ヘッド１９の下方に対向するよう駆動位置決めされる。
【００３６】
同様に、他方の第１の受け渡し手段６Ｂの受け具２４は、ＴＣＰ４を受けると第２のインデックス手段１８Ｂのインデックステーブル２２の下面に周方向に９０度間隔で設けられた４つの保持ヘッド１９のうちの、上記受け取り位置Ａに位置決めされた保持ヘッド１９の下方に対向するよう駆動位置決めされる。
【００３７】
位置決めされた受け具２４はＺθ駆動源２３によって上昇方向に駆動される。それによって、受け具２４に保持されたＴＣＰ４が上記インデックステーブル２２に設けられた保持ヘッド１９の下面に接触接近し、その状態でＴＣＰ４が上記受け具２４から上記保持ヘッド１９に受け渡されて吸着保持される。
【００３８】
ＴＣＰ４が第１、第２のインデックス手段１８Ａ，１８Ｂのインデックステーブル２２に設けられた保持ヘッド１９に受け渡されると、一対のインデックステーブル２２は上記第１のθ駆動源２１によって図１に矢印で示す逆方向にそれぞれ９０度の角度で間欠的に回転駆動される。それによって、ＴＣＰ４を吸着保持した各インデックステーブル２２の保持ヘッド１９は図１にＢで示すブラッシング位置に位置決めされる。
【００３９】
上記受け具２４からＴＣＰ４を受けた保持ヘッド１９がインデックステーブル２２とともに周方向に９０度回転駆動されてブラッシング位置Ｂに位置決めされると、上記保持ヘッド１９に保持された上記ＴＣＰ４の端子部（図示せず）は図３に示す回転ブラシ２８によってブラッシング、つまりクリーニングされる。それによって、端子部に付着した塵埃が除去される。なお、上記回転ブラシ２８は図示しないモータに矢印Ｒで示す方向に回転駆動される。
【００４０】
上記回転ブラシ２８の一部は洗浄容器２９に収容された洗浄液Ｌに浸漬している。さらに、上記回転ブラシ２８に対向する部分、つまりインデックステーブル２２の径方向外方の部分は下面が開口した箱型のカバー３０によって覆われている。このカバー３０には図示しない吸引ポンプに連通する吸引チューブ３０ａが接続されている。それによって、カバー３０の内部雰囲気が上記吸引チューブ３０ａによって排出されるようになっている。
【００４１】
上記回転ブラシ２８、洗浄容器２９及びカバー３０は載置台２７に載置されている。この載置台２７は上下駆動源２７ａによって上下方向に駆動されるようになっている。
【００４２】
上記載置台２７が上昇方向に駆動されて上記回転ブラシ２８が矢印Ｒ方向に回転しながらＴＣＰ４の端子部に接触すると、その端子部に付着した塵埃が除去される。除去された塵埃は一部が矢印Ｓで示すように上記カバー３０内に飛散し、残りは回転ブラシ２８に付着する。カバー３０内に飛散した塵埃は吸引チューブ３０ａによって吸引排出され、回転ブラシ２８に付着した塵埃は洗浄容器２９の洗浄液Ｌによって洗浄除去される。
【００４３】
したがって、ＴＣＰ４の端子部に付着した塵埃を回転ブラシ２８によって除去するようにしても、上記端子部から除去された塵埃が装置本体１の内部に浮遊する割合を大幅に減少させることができる。
【００４４】
ＴＣＰ４の端子部が回転ブラシ２８によってクリーニングされると、そのＴＣＰ４を保持した保持ヘッド１９は、インデックステーブル２２とともに周方向に９０度回転駆動されて図１にＣで示す貼着位置に位置決めされる。
【００４５】
貼着位置Ｃに位置決めされたＴＣＰ４は、第１、第２の貼着装置３１Ａ，３１Ｂによって上記ＴＣＰ４のクリーニングされた端子部に、その端子部と対応する長さに切断された異方性導電部材からなら粘着テープ３２が後述するように貼着される。
【００４６】
上記第１、第２のインデックス手段１８Ａ，１８Ｂ及び第１、第２の貼着装置３１Ａ，３１Ｂは、第１、第２の打ち抜き装置５Ａ，５Ｂと同様、装置本体１の幅方向の中心線Ｏに対して左右対称に配置されている。
【００４７】
第１、第２のインデックス手段１８Ａ，１８Ｂは第１、第２の打ち抜き装置５Ａ，５Ｂよりも装置本体１の幅方向外方に配置され、第１、第２の貼着装置３１Ａ，３１Ｂは第１、第２のインデックス手段１８Ａ，１８Ｂよりも幅方向外方に配置されている。
【００４８】
上記第１、第２の貼着装置３１Ａ，３１Ｂは図２に示すように装置本体１内の底面に近い下部に配置された供給リール３４を有する。この供給リール３４には上記粘着テープ３２が離型テープ３５の一側面に貼着されて巻装されている。
【００４９】
離型テープ３５の一側面に貼着された上記粘着テープ３２は上記供給リール３４から帯板状の支持ブロック３３の板面に沿って上方にほぼ垂直に引き出され、第１のガイドローラ３６によって粘着テープ３２が上を向くよう水平方向に方向変換されて走行する。
【００５０】
図４に示すように、上記粘着テープ３２が上記支持ブロック３３に対向して垂直に走行する部分では、切断手段３７を構成する駆動源３７ａによって二枚刃を有するカッタ３７ｂが矢印で示す粘着テープ３２に接近する方向に駆動されることで、その粘着テープ３２に２本の切断線３２ａを所定間隔で形成する。なお、粘着テープ３２が貼着された離型テープ３５はカッタ３７ｂによって切断されないよう、上記カッタ３７ｂによる切込み量が設定されている。
【００５１】
上記粘着テープ３２の２本の切断線３２ａによって他の部分と分離された部分、つまり抜き取り部分３２ｂは切断手段３７よりも上方に配置された抜き取り手段３９によって抜き取られる。それによって、粘着テープ３２は所定長さ、つまりＴＣＰ４に対応する長さに分離される。
【００５２】
上記抜き取り手段３９は、駆動源３９ａと、この駆動源３９ａによって上記粘着テープ３２に接離する方向に駆動される押圧部３９ｂと、この押圧部３９ｂによって上記抜き取り部分３２ｂに押圧される除去テープ４０を有する。
【００５３】
除去テープ４０の一部が上記押圧部３９ｂによって粘着テープ３２の抜き取り部分３２ｂに押圧されることで、この抜き取り部分３２ｂが除去テープ４０に貼着されて除去される。なお、除去テープ４０は図示しない供給リールから繰り出され、同じく図示しない巻き取りリールによって所定長さずつ巻き取られるようになっている。
【００５４】
所定長さに分離された粘着テープ３２は、図２に示すように離型テープ３５とともに上記第１のガイドローラ３６によって水平方向に方向変換されて走行し、上記第１のガイドローラ３６に対して所定間隔で配置された第２のガイドローラ４１によって下方に方向変換される。
【００５５】
上記離型テープ３５の上記第１のガイドローラ３６と第２のガイドローラ４１との間の部分は、上記インデックステーブル２２の貼着位置Ｃに位置決めされた保持ヘッド１９に保持されたＴＣＰ４のクリーニングされた端子部の下面を走行する。
【００５６】
上記離型テープ３５は、図示しない駆動源によって開閉駆動及び同図にＺで示す上下方向に往復駆動されるチャック機構４２によって挟持されて所定長さずつ間欠的に搬送される。つまり、離型テープ３５の所定長さに切断された粘着テープ３２が貼着された部分はチャック機構４２によって貼着位置Ｃに位置決めされた保持ヘッド１９の下方を水平に走行するようになっている。
【００５７】
上記離型テープ３５がチャック機構４２によって間欠的に搬送され、所定長さに分離された粘着テープ３２が貼着位置Ｃに位置決めされた保持ヘッド１９に保持されたＴＣＰ４の端子部の下方に対向するよう位置決めされると、その粘着テープ３２は押し上げ手段４３によって加熱されながら上記ＴＣＰ４に加圧貼着される。
【００５８】
上記押し上げ手段４３は、駆動源４４によって上昇方向に駆動される加圧体４５を有する。この加圧体４５は熱源となるヒータ４５ａが内蔵されている。そして、加圧体４５が上昇方向に駆動されると、この加圧体４５は離型テープ３５を介して所定長さに分離された上記粘着テープ３２を上記ＴＣＰ４の端子部に加熱しながら加圧する。それによって、粘着テープ３２がＴＣＰ４の端子部に貼着される。なお、粘着テープ３２はヒータ４５ａによって加熱されることで粘着性が向上するから、ＴＣＰ４の端子部に確実に貼着されることになる。
【００５９】
粘着テープ３２がＴＣＰ４に貼着されると、図示しない離型ローラによってその粘着テープ３２から離型テープ３５が剥離される。剥離後、インデックステーブル２２はさらに９０度回転させられる。それによって、粘着テープ３２が貼着されたＴＣＰ４を保持した保持ヘッド１９は図１にＤで示す受け渡し位置に位置決めされる。それと同時に、離型テープ３５がチャック機構４２によって搬送され、粘着テープ３２の所定長さに切断された新たな部分が貼着位置ＣのＴＣＰ４に対向位置決めされる。なお、離型テープ３５の粘着テープ３２が貼着除去された部分は回収容器４６に格納される。
【００６０】
粘着テープ３２が貼着されて受け渡し位置Ｄに位置決めされたＴＣＰ４は、一対の第２の受け渡し手段５１Ａ、５１Ｂによってそれぞれ実装手段としての一対の実装ヘッド５３にそれぞれ受け渡される。なお、一対の第２の受け渡し手段５１Ａ、５１Ｂから一対の実装ヘッド５３へのＴＣＰ４の受け渡しは、一対の第２の受け渡し手段５１Ａ、５１Ｂの一方から一対の実装ヘッド５３の一方に対して行った後、他方から他方の実装ヘッド５３に対して行われる。つまり、ＴＣＰ４は一対の実装ヘッド５３に対して交互に受け渡されるようになっている。
【００６１】
図５に示すように、上記第２の受け渡し手段５１Ａ、５１ＢはＸ方向に沿って配置されたＸガイド体５５を有する。このＸガイド体５５には可動体５６が図示せぬ駆動源によって駆動可能に設けられている。この可動体５６にはＺ駆動源５７が設けられている。このＺ駆動源５７の駆動軸５７ａは上下方向であるＺ方向に駆動されるようになっていて、その先端には側面形状がＬ字状の受け具５４が取り付けられている。
【００６２】
受け具５４は、上記可動体５６によってＸ方向に駆動され、その上面（吸着面）が上記受け渡し位置Ｄに位置決めされた保持ヘッド１９に吸着保持されたＴＣＰ４の粘着テープ３２が貼着されていない他端部に対向するよう位置決めされる。
【００６３】
ついで、受け具５４は鎖線で示すようにＺ方向上方に駆動されて上記ＴＣＰ４の他端部の下面を吸着する。それと同時に、ＴＣＰ４は保持ヘッド１９による吸着保持が解除される。それによって、ＴＣＰ４はインデックステーブル２２の保持ヘッド１９から受け具５４に受け渡される。
【００６４】
ＴＣＰ４を受けた受け具５４が下降すると、可動体５６は図５に矢印Ｘで示す方向に駆動され、鎖線で示す位置に位置決めされる。それによって、受け具５４は、その移動方向の上方で待機した上記実装ヘッド５３の下方に対向するよう位置決めされる。実装ヘッド５３はＸ・Ｙ・Ｚ・θ駆動源５８によってＸ、Ｙ、Ｚ及びθ方向に駆動されるようになっている。
【００６５】
上記実装ヘッド５３の下方に上記受け具５４が位置決めされると、実装ヘッド５３は下降方向に駆動されて受け具５４に吸着保持されたＴＣＰ４の粘着テープ３２が貼着された一端部の上面を吸着する。それと同時に、上記受け具５４による上記ＴＣＰ４の吸着状態が解除される。それによって、ＴＣＰ４が上記受け具５４から実装ヘッド５３に受け渡される。
【００６６】
ＴＣＰ４を受けた実装ヘッド５３は、図２に示すようにテーブル装置６１の上面に吸着保持された基板Ｗの上記ＴＣＰ４が実装される側部の上方に位置決めされる。実装ヘッド５３と基板Ｗは図示しない撮像手段によって撮像され、その撮像手段からの撮像信号に基いて上記基板Ｗの実装位置の上方に上記ＴＣＰ４が位置決めされるよう上記Ｘ・Ｙ・Ｚ・θ駆動源５８によってＸ、Ｙ及びθ方向に対して駆動される。
【００６７】
上記実装ヘッド５３に吸着保持されたＴＣＰ４が基板Ｗの実装位置の上方に位置決めされると、上記実装ヘッド５３は上記Ｘ・Ｙ・Ｚ・θ駆動源５８によって下降方向に駆動される。それによって、実装ヘッド５３に吸着保持されたＴＣＰ４が基板Ｗの側辺部に実装される。
【００６８】
このようにして、粘着テープ３２が貼着された複数のＴＣＰ４が図１に鎖線で示すようにテーブル装置６１の上面に吸着保持された基板Ｗの側辺部に対して所定間隔で順次実装される。
【００６９】
上記装置本体１内の前端部には一対のＹガイドレール６２が装置本体１の幅方向、つまりＸ方向と直交するＹ方向に沿って敷設されている。上記テーブル装置６１は上記Ｙガイドレール６２に移動可能に設けられていて、図示せぬ駆動源によってＹガイドレール６２に沿って駆動されるようになっている。
【００７０】
図１に示すように、上記装置本体１の前端部の幅方向の一側部には供給口６４が開口形成されている。上記テーブル装置６１がＹガイドレール６２に沿って上記装置本体１の幅方向の一側部に移動したとき、図１に鎖線で示す供給装置６３が上記供給口６４から装置本体１内の上記テーブル装置６１に基板Ｗを供給するようになっている。
【００７１】
上記装置本体１の前端部の幅方向の他側部には排出口６６が開口形成されている。上記テーブル装置６１がＹガイドレール６２に沿って上記装置本体１の幅方向の他側部に移動したとき、図１に鎖線で示す排出装置６５が上記排出口６６から装置本体１内に入り込み、上記テーブル装置６１の基板Ｗ、つまり側辺部に複数のＴＣＰ４が実装された基板Ｗを搬出するようになっている。
【００７２】
図６に示すように、上記装置本体１の両側部の上記供給口６４と排出口６６の上辺に対向する部位には、幅方向全長にわたって気体噴射手段としてのノズル体６７が設けられている。ノズル体６７には複数の噴射ノズル６８が所定間隔で設けられ、これら噴射ノズル６８から噴射される清浄な気体によって上記供給口６４と排出口６６にエアカーテンを形成する。それによって、装置本体１の外部から内部に塵埃を含む外気が入り込むのを防止している。
【００７３】
図１に示すように、上記装置本体１の中央部は一対の打ち抜き装置５Ａ，５Ｂ、一対のインデックス手段１８Ａ，１８Ｂ及びテーブル装置６１によって囲まれた空間部７１が形成されている。この空間部７１は図７に示すように装置本体１の上下方向全長にわたって貫通している。
【００７４】
上記空間部７１に対向する上記装置本体１の天井部には送気ユニット７２が設けられている。この送気ユニット７２は図２に示すようにＨＥＰＡフィルタ７３及び送気ファン７４を内蔵したケーシング７５を有し、ＨＥＰＡフィルタ７３によって清浄化されたクリーンルーム内の気体（空気）が送気ファン７４によって上記ケーシング７５の下端面に形成された吹出口７６から装置本体１内に所定の流速で供給されるようになっている。
【００７５】
上記吹出口７６は装置本体１の幅方向（Ｙ方向）に沿って細長く形成されている。それによって、上記吹出口７６から装置本体１内に供給される気体（図７に白抜きの矢印Ｍで示）は装置本体１内に設けられた一対の打ち抜き装置５Ａ，５Ｂ、つまり上下一対の金型１１、１２に沿って上方から下方に流れるようになっている。
【００７６】
上記空間部７１に対向する上記装置本体１の底部には、上記送気ユニット７２とで塵埃除去手段を構成する排気ユニット７７が設けられている。この排気ユニット７７は図２に示すようにケーシング７８内に上記送気ユニット７２から装置本体１の空間部７１に供給された気体を吸引して排出する排気ファン７９が設けられ、この排気ファン７９によって吸引した装置本体１内の気体を下面の排気口８０から外部に排出するようになっている。
【００７７】
上記送気ユニット７２から供給された気体が上記空間部７１内を所定の速度で流れて排気ユニット７７から排出されると、その気体の流れによって装置本体１内には上記空間部７１を流れる気体に向かう吸引力が発生する。吸引力によって発生する気流を図７に矢印Ｎで示す。
【００７８】
上記送気ユニット７２から吐出されて排気ユニット７７から排出される気流を主流とし、この主流の吸引力によって装置本体１内の雰囲気が上記主流に向かう流れを誘引流という。
【００７９】
それによって、上記装置本体１内の上下一対の金型１１、１２でキヤリアテープ３からＴＣＰ４を打ち抜く際に発生する塵埃、上記一対のインデックステーブル２２でＴＣＰ４から回転ブラシ２８によって除去された塵埃、或いは装置本体１内の各種の駆動部分から発生する塵埃など、装置本体１内で種々の原因によって発生する塵埃は、上記空間部７１を上下方向に流れる主流Ｍ及び主流Ｍの吸引力によって発生する誘引流Ｎによって排気ユニット７７から外部に排出されることになる。すなわち、装置本体１内の中心部に塵埃が集まることで、塵埃が拡散して他の装置に付着するのを防止することができる。
【００８０】
図１に示すように、上記装置本体１の周壁のうち、たとえば幅方向の両側壁には開口部８１が形成されている。各開口部８１にはフィルタ８２が設けられている。上記装置本体１の空間部７１に気体が流れ、その気流Ｍによって吸引力が生じると、その吸引力によって装置本体１の外部の気体が上記フィルタ８２で浄化された装置本体１内に導入されるようになっている。
【００８１】
装置本体１の側壁にフィルタ８２を設けると、空間部７１を流れる主流Ｍによって吸引力が発生すると、その吸引力によって装置本体１内には上記空間部７１に向かう誘引流Ｎが発生し易くなる。つまり、主流Ｍの吸引力によって生じる誘引流Ｎの流量が増大する。それによって、装置本体１内で発生する塵埃が上記空間部７１を流れる気流に巻き込まれ易くなる。
【００８２】
つまり、装置本体１内に種々の原因によって塵埃が発生しても、その塵埃は装置本体１内を浮遊することなく、空間部７１を流れる主流Ｍと誘引流Ｎによって外部に排出され易くなる。また、吸引力によってフィルタ８２からは浄化された気体が導入される。
【００８３】
それによって、装置本体１内で発生した塵埃が、第１、第２の貼着装置３１Ａ，３１Ｂの供給リール３４から繰り出された粘着テープ３２、第１、第２の貼着装置３１Ａ，３１ＢからＴＣＰ４に貼着された粘着テープ３２、或いはテーブル装置６１に保持された基板Ｗの上面などに付着するのが防止される。しかも、浄化された気体で塵埃が流されて常に清浄な状態を維持することができる。
【００８４】
上記構成の実装装置によれば、装置本体１内にはキヤリアテープ３からＴＣＰ４を打ち抜くことで、塵埃が発生する第１、第２の打ち抜き装置５Ａ，５Ｂ、ＴＣＰ４の端子部に所定の長さに分断された粘着テープ３２を貼着する前に、その端子部を回転ブラシ２８でクリーニングすることで塵埃が発生する第１、第２のインデックス手段１８Ａ，１８Ｂ、さらには塵埃が発生する虞のある種々の駆動機構が配置されている。
【００８５】
しかしながら、装置本体１内で塵埃が発生しても、装置本体１内の中心部に上下方向全長にわたって貫通形成された空間部７１の上方から下方に向けて主流Ｍを流すようにしている。
【００８６】
そのため、上記空間部７１を流れる主流Ｍによって装置本体１内には上記空間部７１に向かう吸引力が発生し、その吸引力によって主流Ｍに向かう誘引流Ｎが発生するから、装置本体１内で発生した塵埃は誘引流Ｎによって周辺部から中心部に向かって流れ、その誘引流Ｎは中心部の空間部７１を上下方向に流れる主流Ｍと合流して排気ユニット７７から外部に排出される。
【００８７】
つまり、装置本体１内に塵埃が発生しても、その塵埃は空間部７１に向かって流れ、その空間部７１から外部に排出されるから、装置本体１内で発生した塵埃が粘着テープ３２や基板Ｗに付着し、基板Ｗとこの基板Ｗに実装されるＴＣＰ４との間に介在してＴＣＰ４の実装不良を招くのを防止することができる。
【００８８】
装置本体１の両側壁にはフィルタ８２を設け、空間部７１を流れる主流Ｍによって吸引力が発生すると、その吸引力によって生じる誘引流Ｎに上記フィルタ８２を通じて装置本体１の外部の気体を流入させ、空間部７１を流れる主流Ｍに合流させるようにした。
【００８９】
つまり、空間部７１を流れる主流Ｍによって吸引力が生じると、その吸引力によって生じる誘引流Ｎの流量が増大するばかりか、その誘引流Ｎが装置本体１内の周辺部から中心部に向かって流れるから、装置本体１内に浮遊する塵埃が上記空間部７１を通じて外部に排出され易くなるということがある。
【００９０】
ＴＣＰ４の端子部をクリーニングする回転ブラシ２８を吸引チューブ３０ａが接続されたカバー３０によって覆うようにした。そのため、回転ブラシ２８がＴＣＰ４をクリーニングすることで塵埃が発生しても、その塵埃の一部はカバー３０の内部から吸引チューブ３０ａに吸引されて排出される。そのため、回転ブラシ２８のクリーニング作用によって塵埃が発生しても、その塵埃が装置本体１内に浮遊する量を減少させることができる。
【００９１】
回転ブラシ２８はその一部が洗浄容器２９の洗浄液Ｌに浸漬している。そのため、ＴＣＰ４から除去された塵埃の一部が回転ブラシ２８に付着していても、その塵埃が洗浄液Ｌによって洗浄除去されるから、そのことによっても回転ブラシ２８から飛散して装置本体１内を浮遊する塵埃を減少させることができる。
【００９２】
図８はこの発明の他の実施の形態を示す。この実施の形態では、塵埃除去手段の送気ユニット７２に分岐手段としての一対の分岐管８５を接続する。各分岐管８５の先端は第１、第２の貼着装置３１Ａ，３１Ｂの側方、つまり装置本体１の幅方向内方に位置する一側部に対向するよう配置されている。
【００９３】
それによって、送気ユニット７２から流出される気体の一部は上記分岐管８５に流れ、その分岐管８５から図８にＲで示すように一対の貼着装置３１Ａ，３１Ｂの幅方向内側に沿って流れるようになっている。
【００９４】
気流Ｒが貼着装置３１Ａ，３１Ｂの幅方向内側に沿って上方から下方に向かって流れれば、その気流Ｒによって図８にｒで示す貼着装置３１Ａ，３１Ｂの幅方向他側から一側に向かう気流が生じるから、その気流ｒによって貼着装置３１Ａ，３１Ｂの近傍に浮遊する塵埃が粘着テープ３２に付着するのを防止することができる。
【００９５】
すなわち、貼着装置３１Ａ，３１Ｂに設けられた粘着テープ３２には塵埃が付着し易いが、送気ユニット７２から流出される気体の一部を分岐管８５で分岐して貼着装置３１Ａ，３１Ｂの側方に沿って流すことで、粘着テープ３２に塵埃が付着するのを防止することができる。
【００９６】
すなわち、塵埃が付着し易い装置であり、第１、第２の貼着装置３１Ａ，３１Ｂの近傍に送気ユニット７２から吐出される主流Ｍを分岐させて流すようにした。そのため、塵埃は分岐された気体の流れによって吸引されて拡散するのが防止されるから、第１、第２の貼着装置３１Ａ，３１Ｂに塵埃が付着するのをより一層、確実に防止することができる。また、主流Ｍは浄化されているから、そのことによっても第１、第２の貼着装置３１Ａ，３１Ｂを清浄に維持することが可能となる。
【００９７】
上記一実施の形態では装置本体内に打ち抜き装置、インデックス手段、貼着装置などをそれぞれ左右対称、つまり一対ずつ設けるようにしたが、ＴＣＰを実装する基板の大きさなどによっては打ち抜き装置、インデックス手段、貼着装置などが１組であってもよく、そのような場合であってもこの発明を適用することができる。
【図面の簡単な説明】
【００９８】
【図１】この発明の一実施の形態の実装装置の内部構造を示す平面図。
【図２】実装装置の内部構造を示す側面図。
【図３】保持ヘッドに保持されたＴＣＰをブラッシング位置でクリーンニングする状態を示す側面図。
【図４】供給リールから離型テープに貼着されて繰り出された粘着テープを所定の長さに分断する状態を示す側面図。
【図５】受け渡し位置で粘着テープが貼着されたＴＣＰを実装ヘッドに受け渡す状態を示す側面図。
【図６】装置本体の側壁の供給口と排出口が形成された部分の正面図。
【図７】装置本体内の空間部に気体を流したときに生じる気流を示す説明図。
【図８】この発明の他の実施の形態の装置本体内の空間部に気体を流したときに生じる気流を示す説明図。
【符号の説明】
【００９９】
１…装置本体、３…キヤリアテープ、４…ＴＣＰ（電子部品）、５Ａ，５Ｂ…打ち抜き装置、６Ａ，６Ｂ…第１の受け渡し手段、１１…上金型、１２…下金型、１８Ａ，１８Ｂ…インデックス手段、１９…保持ヘッド、２２…インデックステーブル、２８…回転ブラシ、２９…洗浄容器、３０…カバー、３１Ａ，３１Ｂ…貼着装置、３２…粘着テープ、３５…離型テープ、３７…切断手段、３９…抜き取り手段、５１Ａ，５１Ｂ…第２の受け渡し手段、５３…実装ヘッド（実装手段）、６１…テーブル装置、６３…供給装置、６４…供給口、６５…排出装置、６６…排出口、６７…ノズル体、７１…空間部、７２…送気ユニット、７７…排気ユニット。
【図１】
2010080874.tif 000003
【図２】
2010080874.tif 000004
【図３】
2010080874.tif 000005
【図４】
2010080874.tif 000006
【図５】
2010080874.tif 000007
【図６】
2010080874.tif 000008
【図７】
2010080874.tif 000009
【図８】
2010080874.tif 000010